(57)【要約】【課題】簡素かつ安価な構成で資料の裏面を撮影することができる資料提示装置を提供する。【解決手段】一部を透明板２４で構成した資料載置台２０をカメラ台１０の上に配置し、透明板２４の下方に反射鏡２３を配置する。透明板２４に資料（昆虫など）Ｄを載せ、この資料Ｄの裏面が透明板２４を通して映る反射鏡２３を撮像部で撮影し、反射像を表示する。【選択図】        図４
2004349767.tif 000002
【特許請求の範囲】
【請求項１】
透明部を有する資料載置台と、この資料載置台に置かれた資料を撮影する撮像部と、この撮像部による撮影画像を表示装置に出力する画像出力部とを備えた資料提示装置において、
前記資料載置台の前記透明部に置かれた前記資料の裏面を、前記撮像部の撮影光路内に反射鏡を設けて撮像部で撮影することを特徴とする資料提示装置。
【請求項２】
前記撮像部の画角内に、前記資料の表面と前記反射鏡とが含まれることを特徴とする請求項１に記載の資料提示装置。
【請求項３】
前記撮像部による前記資料の死角を、死角用反射鏡を設けて撮像部で撮影することを特徴とする請求項１または２に記載の資料提示装置。
【発明の詳細な説明】
【０００１】
【発明の属する技術分野】
本発明は、資料を撮影し、その撮影画像をＣＲＴや液晶ディスプレイ等のモニタやスクリーン等に表示する資料提示装置に係り、特に立体的な資料をあらゆるアングルから撮影することができる資料提示装置に関する。
【０００２】
【従来の技術】
モニタ等に原稿等の資料を表示し、その画像を参照しながら聴衆に対して資料の内容をプレゼンターが説明するプレゼンテーションを行う場合、近年では、資料提示装置が用いられている。資料提示装置は、一般に、資料載置台に載置した資料を上方に配置した動画用のカメラで撮影し、資料画像をモニタ等に出力するようになっている。
【０００３】
このような資料提示装置では、紙の原稿等の平面的な資料の他に、模型や物品等の立体物を被写体とする場合がある。資料が立体物の場合、従来の資料提示装置では資料の上面しか撮影することができない。したがって、資料の側面を映すには、プレゼンターが資料を手に持ち、映したい面を上方のカメラに向けていた。しかしながらこの方法では、手振れが生じたりピントが合わなかったりする不具合が生じ、しかもプレゼンターに負担がかかるので好ましくなかった。そこで、カメラを移動自在として資料の側面も撮影することができる資料提示装置が知られている（例えば特許文献１）。
【０００４】
【特許文献１】
特開平１０−１９１１１６号公報
【０００５】
上記公報に記載の装置によれば、移動自在で画角調整が可能なカメラによって立体的な資料を上面から側面にわたって撮影することができるものである。ところで、プレゼンテーションの種類によっては、資料の裏面を撮影して表示させたいという要望があったが、上記公報のものでは資料は資料載置台に置かれることから、その裏面を撮影することは不可能である。そこで、本出願人は、透明な資料載置台の上面から裏面にわたって旋回するアームにカメラを取り付け、アームを資料載置台の下方に旋回させることにより、資料載置台上の資料をカメラで撮影することができる資料提示装置を提案した（特願２００３−６３９６１）。
【０００６】
【発明が解決しようとする課題】
ところが、この資料提示装置では、カメラを旋回させる機構が大掛かりで、アームの可動範囲を含めると大型でもあることから、より簡素で小型の装置が望まれることになった。また、例えば資料の表面と裏面を同時に撮影画像として表示したい要求がある場合、資料の一面（表面や裏面）のみしか撮影できないので不可能である。
【０００７】
よって本発明は、簡素な構成で資料の裏面を撮影することができるとともに、資料の表面と裏面とを同時に撮影して表示することも可能な資料提示装置を提供することを目的としている。
【０００８】
【課題を解決するための手段】
本発明は、透明部を有する資料載置台と、この資料載置台に置かれた資料を撮影する撮像部と、この撮像部による撮影画像を表示装置に出力する画像出力部とを備えた資料提示装置において、資料載置台の透明部に置かれた資料の裏面を、撮像部の撮影光路内に反射鏡を設けて撮像部で撮影することを特徴としている。
【０００９】
本発明によれば、資料の裏面を反射鏡の反射像とし、反射鏡を撮像部で撮影することにより、資料の裏面を撮影して表示することができる。撮像部を旋回させたりする機構を必要としないので、構成が簡素で安価であり、小型化が図られる。
【００１０】
本発明では、撮像部の画角内に、資料の表面と反射鏡とが含まれる形態を含む。この形態によると、資料の表面が直接撮像部で撮影され、裏面が反射鏡を介して撮影されるので、資料の表面と裏面とを同時に撮影して表示することができる。また、資料の死角を、死角用反射鏡を設けて撮像部で撮影することも含む。
【００１１】
【発明の実施の形態】
以下、図面を参照して本発明の一実施形態を説明する。
図１は、一実施形態に係るプレゼンテーション用の資料提示装置１を示しており、符号１０はカメラ台である。このカメラ台１０の後端部（図１で左端部）には、前後方向に傾動可能にアーム１１が立設され、このアーム１１の上端に、カメラ（撮像部）１２がカメラ台１０に向けて取り付けられている。カメラ１２はアーム１１に対し画角が調整できるように取り付けられている。また、アーム１１はロッドアンテナ状で伸縮自在である。カメラ１２の撮影画像は、図示せぬ画像表示装置（ＣＲＴ、液晶ディスプレイ等のモニタ、液晶プロジェクタ等）に出力される。
【００１２】
カメラ台１０には、資料載置台２０が着脱可能にセットされる。この資料載置台２０は、図２に示すように矩形の資料載置板２１と、この資料載置板２１の四隅から垂下してカメラ台１０に固定される脚部２２と、後部側の２つの脚部２２に取り付けられた反射鏡２３とを備えている。反射鏡２３は、上下方向および前後方向に移動自在で、かつ左右方向（図２（ｂ）で図面の表裏方向）を軸として回転し、任意の角度で停止できるように取り付けられている。図２（ａ）に示すように、資料載置板２１の一端部には、アクリル板やガラス板等でできた透明板（透明部）２４が着脱可能に取り付けられており、この透明板２４を外すと、図３に示すように、上から反射鏡２３の全体が見える。
【００１３】
次に、実施形態の資料提示装置１の使用方法ならびに作用を説明する。
表示させる資料として動きのある小型の生物（図示例では昆虫のカブト虫）を例示する。この資料Ｄを、図４に示すように資料載置板２１の透明板２４の上に置き、カメラ１２の位置や画角を適宜に調整して反射鏡２３をカメラ１２で撮影する。反射鏡２３の反射像は資料Ｄの裏面であり、これによって資料Ｄの裏面を撮影して表示することができる。
【００１４】
次に、図５に示すように、カメラ１２の位置や画角を調整して透明板２４の上に置いた資料Ｄと反射鏡２３とをカメラ１２で撮影する。この状態では、資料Ｄの表面を直接像、資料Ｄの裏面を反射鏡２３の反射像として、図６に示すような撮影画像を得る。これによって、資料Ｄの表面と裏面を同時に撮影して表示することができる。
【００１５】
図７は、資料Ｄの表面と裏面を同時に撮影する別の形態を示している。この場合、透明板２４側を前方（図７で左方）に配して資料載置台２０をカメラ台１０にセットし、資料載置板２１の前方に立てて配置した第２反射鏡２５に反射鏡２３の反射像を反射させ、カメラ１２の画角内に資料Ｄと第２反射鏡２５を入れて撮影する。これによると、資料Ｄの表面を直接像、資料Ｄの裏面を第２反射鏡２５の反射像として撮影画像を得る。２枚の反射鏡２３，２５を用いることにより、資料Ｄの裏面の撮影画像は、直接裏面を見た場合と同様に左右反転がないものとなる。
【００１６】
上記実施形態の資料提示装置１によれば、資料Ｄの裏面を反射鏡２３の反射像とし、反射鏡２３をカメラ１２で撮影することにより、資料Ｄの裏面を撮影して表示することができる。カメラ１２を旋回させたりすることなく資料の裏面を撮影することができるので、構成が簡素で安価であり、小型化が図られる。
【００１７】
上記実施形態は本発明を具体化した例であり、以下に上記実施形態に基づく本発明の変形例を列挙する。
▲１▼  図５に示すように、資料載置板２１にセットした死角反射鏡２６に資料Ｄの死角（この場合、資料Ｄの前面）を反射させ、死角用反射鏡２６も撮影することにより、資料Ｄの死角を撮影することができる。
▲２▼  脚部２２を折りたたみ式として資料載置板２１をカメラ台１０に収納できるようにする。収納状態では、通常の資料の表面を撮影する。
▲３▼  資料が生物で動き回る場合、透明板２４を回転させるか、または反射鏡２３を移動させて常に資料を撮影できるようにする。透明板２４を回転させる場合には、図８に示すように透明板２４を円形とし、資料載置板２１に回転可能、かつ着脱可能に支持して、モータ等によって回転させる。
▲４▼  生物の資料が透明板２４から落下しないように透明板２４の縁に落下防止壁を設ける。
▲５▼  透明板２４を外し、反射鏡２３の上で資料を持つなどして撮影する。例えば、裁縫や編み物をその状態で行えば、裏側の縫われ方や編み方などを表示できる。
【００１８】
【発明の効果】
以上説明したように本発明によれば、資料載置台の透明部に置かれた資料の裏面を、撮像部の撮影光路内に反射鏡を設けて撮像部で撮影するので、資料の裏面を容易に撮影することができ、また、撮像部を旋回させたりする機構を必要としないので、構成が簡素で安価であり、小型化が図られるといった効果を奏する。
【図面の簡単な説明】
【図１】本発明の一実施形態に係る資料提示装置の側面図である。
【図２】一実施形態の資料提示装置に備わる資料載置台の（ａ）平面図、（ｂ）側面図、（ｃ）正面図である。
【図３】透明部を外した状態の資料載置台の平面図である。
【図４】資料の裏面を撮影する状態を示す側面図である。
【図５】資料の表面と裏面を同時に撮影する状態を示す側面図である。
【図６】図５に示した撮影による撮影画像である。
【図７】資料の表面と裏面を同時に撮影する構成の変形例を示す側面図である。
【図８】透明板を回転式とした場合の一例を示す資料提示装置の平面図である。
【符号の説明】
１…資料提示装置、１２…カメラ（撮像部）、２０…資料載置台、
２３…反射鏡、２４…透明板（透明部）、２５…第２反射鏡、
２６…死角用反射鏡、Ｄ…資料。
【図１】
2004349767.tif 000003
【図２】
2004349767.tif 000004
【図３】
2004349767.tif 000005
【図４】
2004349767.tif 000006
【図５】
2004349767.tif 000007
【図６】
2004349767.tif 000008
【図７】
2004349767.tif 000009
【図８】
2004349767.tif 000010